(57)【要約】【課題】空気調和機の露付防止運転で、減圧装置を絞ることより室内機能力を低下させるため冷凍能力を著しく低下させるとともに、室内熱交換器が凍結する可能性があった。【解決手段】露付条件検出手段３９で露付条件が検出されてから、計時手段４２によって計時される時間ｔが所定の時間ｔ１以上経過した場合に、室外ファン回転数は第１凝縮温度Ｔｃ１よりも所定の温度差△Ｔ２だけ高い第２凝縮温度Ｔｃ２となるように室外ファン回転数制御手段４１により室外ファン３６を減速回転して蒸発温度を上昇させることにより露付防止運転とし、凝縮温度上昇による能力低下を蒸発温度上昇による冷媒循環量増加でカバーすることにより著しい能力低下を起こさないようにする。【選択図】図１
2007078272.tif 000002
【特許請求の範囲】
【請求項１】
室内熱交換器と室内ファンとを有する室内機と室外熱交換器と室外ファンとを有する室外機とから構成された空気調和機において、
露付条件検出手段と前記室外熱交換器の凝縮温度検出手段と室外ファン回転数制御手段と計時手段とを有し、前記露付条件検出手段で露付条件が検出されない場合には、室外ファン回転数は第１凝縮温度となるように前記室外ファン回転数制御手段により制御し、前記露付条件検出手段で露付条件が検出されてから、
前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させることを特徴とした空気調和機の制御装置。
【請求項２】
室内熱交換器と室内ファンとを有する室内機と室外熱交換器と室外ファンとを有する室外機とから構成された空気調和機において、
室内湿度検出手段と前記室外熱交換器の凝縮温度検出手段と室外ファン回転数制御手段と計時手段とを有し、前記室内湿度検出手段で検出される室内湿度が所定の室内湿度以下の場合には、室外ファン回転数は第１凝縮温度となるように前記室外ファン回転数制御手段により制御し、前記室内湿度が前記所定の室内湿度を超えてから、
前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させることを特徴とした空気調和機の制御装置。
【請求項３】
室内熱交換器と室内ファンとを有する室内機と室外熱交換器と室外ファンとを有する室外機とから構成された空気調和機において、
室内湿度検出手段と前記室外熱交換器の凝縮温度検出手段と室外ファン回転数制御手段と計時手段と室内温度検出手段とを有し、前記室内温度検出手段で検出される室内温度が所定の室内温度以下の場合、または前記室内湿度検出手段で検出される室内湿度が所定の室内湿度以下の場合には、室外ファン回転数は第１凝縮温度となるように室外ファン回転数制御手段により制御し、前記室内温度が前記所定の室内温度を超え、且つ前記室内湿度が前記所定の室内湿度を超えてから、
前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させることを特徴とした空気調和機の制御装置。
【請求項４】
室内熱交換器と室内ファンとを有する室内機と室外熱交換器と室外ファンとを有する室外機とから構成された空気調和機において、
室内湿度検出手段と前記室外熱交換器の凝縮温度検出手段と室外ファン回転数制御手段と計時手段と室内温度検出手段と室外温度検出手段とを有し、前記室外温度検出手段で検出される室外温度が所定の室外温度を超えている場合、または前記室内温度検出手段で検出される室内温度が所定の室内温度未満の場合、または前記室内湿度検出手段で検出される室内湿度が所定の室内湿度以下の場合には、室外ファン回転数は第１凝縮温度となるように室外ファン回転数制御手段により制御し、前記室外温度が前記所定の室外温度以下で、且つ前記室内温度が前記所定の室内温度を超え、且つ前記室内湿度が前記所定の室内湿度を超えてから、
前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させるこ
とを特徴とした空気調和機の制御装置。
【請求項５】
室内熱交換器と室内ファンとを有する室内機と室外熱交換器と室外ファンとを有する室外機とから構成された空気調和機において、
室内湿度検出手段と前記室外熱交換器の凝縮温度検出手段と室外ファン回転数制御手段と計時手段とを有し、前記室内湿度検出手段で検出される室内湿度が所定の室内湿度以下の場合には、室外ファン回転数は第１凝縮温度となるように前記室外ファン回転数制御手段により制御し、前記室内湿度が前記所定の室内湿度を超えてから、
前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させ、
前記室内湿度が前記所定の室内湿度よりも高い他の所定の室内湿度を超えてから、前記計時手段によって計時される時間が所定の時間以上経過した場合には、前記室外ファン回転数は前記第１凝縮温度よりも所定の温度差だけ高い第３凝縮温度となるように前記室外ファン回転数制御手段により前記室外ファンを減速回転して蒸発温度を上昇させることを特徴とした空気調和機の制御装置。
【発明の詳細な説明】
【技術分野】
【０００１】
本発明は、空気調和機の制御装置に関するもので、特に露付き防止制御装置に関する。
【背景技術】
【０００２】
従来、空気調和機の露付き防止制御装置においては、室内機の吸い込み湿度によって吐出冷媒温度の制御目標値を変化することにより能力を高く維持しつつ、膨張弁を絞ることによる室内熱交換器の能力低減により露付を防止しているものがあった（例えば、特許文献１参照）。
【０００３】
以下に、従来の空気調和機の露付き防止制御装置について説明する。図１１は従来の空気調和機の露付き防止制御装置である。４は圧縮機で、５は室外熱交換器で、７は電動膨張弁であり、１の室内熱交換器とを順次接続している。１７は、冷房運転時に室内熱交換器１における冷媒の蒸発温度を検出する蒸発温度検出手段であり、１０は、冷房運転時に室外熱交換器５における冷媒の凝縮温度を検出する凝縮温度検出手段であり、蒸発温度検出手段１７と凝縮温度検出手段１０の出力を受け、そのときの最適な冷凍効果を与える吐出冷媒温度の最適温度を演算する演算手段１８と、吐出冷媒温度を検出する吐出温度検出手段１９と、吐出温度検出手段１９の出力を受け、演算手段１８で演算された最適温度を吐出冷媒温度の制御目標値として電動膨張弁７の開度を制御する開度制御手段２０とを設けたものである。２１は変更手段であり、湿度検出手段２２で検出される吸込空気の湿度が所定値よりも高くなると吐出冷媒温度の制御目標値が最適温度よりも一定値だけ高い値に変更されるので、吐出冷媒温度の制御目標値に適合する吸入冷媒温度も高くなり、それに応じて電動膨張弁７の開度が絞られて、吸入冷媒の過熱度が高くなるように制御される。すなわち、室内熱交換器１の出口側の冷媒状態が乾き側に維持され、室内熱交換器１の能力が低減して露付が防止されていた。
【特許文献１】特開平４−９８０４９号公報
【発明の開示】
【発明が解決しようとする課題】
【０００４】
しかしながら、前記従来の構成では、膨張弁を絞ることにより室内熱交換器の出口側の冷媒状態を乾き側に維持されるため、実際には室内熱交換器の能力が著しく低下するとともに、室内熱交換器を有効に活用できないことから蒸発温度が低下し、室内熱交換器が凍結するという欠点があった。
【０００５】
本発明は、上記従来の課題を解決するものであり、露付き条件における冷却性能を著しく低下させることなく露付きを防止させる空気調和機の制御装置を提供することを目的とする。
【課題を解決するための手段】
【０００６】
前記従来の課題を解決するために、本発明の露付防止制御装置は、室内熱交換器と室内ファンとを有する室内機と室外熱交換器と室外ファンとを有する室外機とから構成された空気調和機において、露付条件検出手段と凝縮温度検出手段と室外ファン回転数制御手段と計時手段とを有し、前記露付条件検出手段で露付条件が検出されない場合には、室外ファン回転数は第１凝縮温度となるように前記室外ファン回転数制御手段により制御し、前記露付条件検出手段で露付条件が検出されてから、前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させることを特徴としており、露付防止運転中
は凝縮温度上昇による能力低下を蒸発温度上昇による冷媒循環量増加でカバーすることにより、著しい能力低下を起こさないようにする。
【発明の効果】
【０００７】
本発明の空気調和機の露付き防止制御装置は、露付防止運転中に著しい能力低下を起こすことなく室内機での露付を防ぎ、また室内熱交換器を凍結させることなく快適な空間を提供することができる。
【発明を実施するための最良の形態】
【０００８】
第１の発明は、室内熱交換器と室内ファンとを有する室内機と室外熱交換器と室外ファンとを有する室外機とから構成された空気調和機において、露付条件検出手段と室外熱交換器の凝縮温度検出手段と室外ファン回転数制御手段と計時手段とを有し、前記露付条件検出手段で露付条件が検出されない場合には、室外ファン回転数は第１凝縮温度となるように前記室外ファン回転数制御手段により制御し、前記露付条件検出手段で露付条件が検出されてから、前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させることにより、露付防止運転中に著しい能力低下を起こすことなく室内機での露付を防ぎ、また室内熱交換器を凍結させることなく快適な空間を提供することができる。
【０００９】
第２の発明は、室内熱交換器と室内ファンとを有する室内機と室外熱交換器と室外ファンとを有する室外機とから構成された空気調和機において、室内湿度検出手段と室外熱交換器の凝縮温度検出手段と室外ファン回転数制御手段と計時手段とを有し、前記室内湿度検出手段で検出される室内湿度が所定の室内湿度以下の場合には、室外ファン回転数は第１凝縮温度となるように前記室外ファン回転数制御手段により制御し、前記室内湿度が所定の室内湿度を超えてから、前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させることにより、露付防止運転中に著しい能力低下を起こすことなく室内機での露付を防ぎ、また室内熱交換器を凍結させることなく快適な空間を提供することができる。
【００１０】
第３の発明は、室内熱交換器と室内ファンとを有する室内機と室外熱交換器と室外ファンとを有する室外機とから構成された空気調和機において、室内湿度検出手段と室外熱交換器の凝縮温度検出手段と室外ファン回転数制御手段と計時手段と室内温度検出手段とを有し、前記室内温度検出手段で検出される室内温度が所定の室内温度以下の場合、または前記室内湿度検出手段で検出される室内湿度が所定の室内湿度以下の場合には、室外ファン回転数は第１凝縮温度となるように室外ファン回転数制御手段により制御し、室内温度が室内温度を超え、且つ室内湿度が室内湿度を超えてから、前記計時手段によって計時される時間が所定の時間以上経過した場合には、前記室外ファン回転数は第１凝縮温度よりも所定の温度差だけ高い第２凝縮温度となるように前記室外ファン回転数制御手段により前記室外ファンを減速回転して蒸発温度を上昇させることにより、露付防止運転中に著しい能力低下を起こすことなく室内機での露付を防ぎ、また室内熱交換器を凍結させることなく快適な空間を提供することができる。
【００１１】
第４の発明は、室内熱交換器と室内ファンとを有する室内機と室外熱交換器と室外ファンとを有する室外機とから構成された空気調和機において、室内湿度検出手段と室外熱交換器の凝縮温度検出手段と室外ファン回転数制御手段と計時手段と室内温度検出手段と室外温度検出手段とを有し、前記室外温度検出手段で検出される室外温度が所定の室外温度
を超えている場合、または前記室内温度検出手段で検出される室内温度が所定の室内温度未満の場合、または前記室内湿度検出手段で検出される室内湿度が所定の室内湿度以下の場合には、室外ファン回転数は第１凝縮温度となるように室外ファン回転数制御手段により制御し、室外温度が所定の室外温度以下で、且つ室内温度が所定の室内温度を超え、且つ室内湿度が所定の室内湿度を超えてから、前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させることにより、露付防止運転中に著しい能力低下を起こすことなく室内機での露付を防ぎ、また室内熱交換器を凍結させることなく快適な空間を提供することができる。
【００１２】
第５の発明は、室内熱交換器と室内ファンとを有する室内機と室外熱交換器と室外ファンとを有する室外機とから構成された空気調和機において、室内湿度検出手段と室外熱交換器の凝縮温度検出手段と室外ファン回転数制御手段と計時手段とを有し、前記室内湿度検出手段で検出される室内湿度が所定の室内湿度以下の場合には、室外ファン回転数は第１凝縮温度となるように前記室外ファン回転数制御手段により制御し、前記室内湿度検出手段で検出される室内湿度が所定の室内湿度を超えてから、前記計時手段によって計時される時間が所定の時間以上経過した場合には、前記室外ファン回転数は前記第１凝縮温度よりも所定の温度差だけ高い第２凝縮温度となるように前記室外ファン回転数制御手段により前記室外ファンを減速回転して蒸発温度を上昇させ、前記室内湿度検出手段で検出される室内湿度が所定の室内湿度よりも高い他の所定の室内湿度を超えてから、前記計時手段によって計時される時間が所定の時間以上経過した場合には、前記室外ファン回転数は前記第１凝縮温度よりも所定の温度差だけ高い第３凝縮温度となるように前記室外ファン回転数制御手段により前記室外ファンを減速回転して蒸発温度を上昇させることにより、露付防止運転中に著しい能力低下を起こすことなく室内機での露付を防ぎ、また室内熱交換器を凍結させることなく快適な空間を提供することができる。
【００１３】
（実施の形態１）
図１は第１の実施の形態における空気調和機の模式図であり、図２は第１の実施の形態における空気調和機の露付防止運転のフローチャートである。
【００１４】
図１において、室内熱交換器３１と、室内ファン３２とを有する室内機３３は、圧縮機３４と、室外熱交換器３５と、室外ファン３６と、減圧装置３７とを有した室外機３８と環状に接続されている。室内機３３は露付条件検出手段３９と計時手段４２とを有し、室外機３８は凝縮温度検出手段４０と室外ファン回転数制御手段４１とを有している。以上のように構成された調和機の制御装置について、以下その動作を説明する。
【００１５】
圧縮機３４から吐出した高圧ガス冷媒は室外熱交換器３５で室外ファン３６により熱交換されて液化し、減圧装置３７で減圧された後に室内機３３へ送られる。室内機３３では室内熱交換器３１で室内ファン３２により熱交換されて低圧ガス化して再度圧縮機３４へ戻る。このとき、室外ファン回転数制御手段４１にて室外ファン回転数を制御して室外熱交換器３５の温度を所定の凝縮温度に保つため、常に快適な空調状態を保っている。負荷変動により室内機の湿度が上昇し露付条件になった場合には、露付防止運転になるが、詳細な動作については、図２の露付運転時のフローチャートを参照しながら説明する。
【００１６】
通常運転しているＳＴＥＰ１ではＳＴＥＰ２に示すように、室外ファン回転数は第１凝縮温度Ｔｃ１を一定に保つように制御されている。ＳＴＥＰ３では計時手段４２のタイムｔをクリアし、ＳＴＥＰ４で露付条件検出手段３９が露付条件を検出すれば、ＳＴＥＰ５で計時手段４２をスタートする。ＳＴＥＰ６では計時手段４２のタイムが所定の時間が経過したかを判定し、所定の時間ｔ１が経過した場合にはＳＴＥＰ７へ進み、所定の時間ｔ
１が経過していない場合はＳＴＥＰ４へ戻る。ＳＴＥＰ７では第１凝縮温度よりも所定の温度差△Ｔ２だけ高い第２凝縮温度Ｔｃ２となるように室外ファン回転数を制御することにより、蒸発温度を高い状態に保つこととなる。ＳＴＥＰ８では露付条件検出手段３９にて露付条件の回避検出を行い、露付条件回避を検出すれば、通常運転であるＳＴＥＰ２へ戻り、露付条件回避を検出しなければＳＴＥＰ７へ戻る。以上のサイクルを繰り返すことにより、露付防止運転中に著しい能力低下を起こすことなく室内機での露付を防ぎ、また室内熱交換器を凍結させることなく快適な空間を提供できるとともに、負荷変動による過負荷状態においても対応可能な空気調和器を提供することができる。
【００１７】
（実施の形態２）
図３は第２の実施の形態における空気調和機の模式図であり、図４は第２の実施の形態における空気調和機の露付防止運転のフローチャートである。なお、すでに実施の形態１で説明したものについては、同一符号を記し、詳細な説明は省略することとする。
【００１８】
図３において、室内機３３には室内湿度検出手段４３を有し、室内湿度ｈが所定の室内湿度ｈ１を超えた場合に計時手段４２をスタートさせ、所定の時間ｔ１が経過した時点で露付防止運転を開始するものであり、開始後の動作については、実施の形態１と同一のものである。
【００１９】
（実施の形態３）
図５は第３の実施の形態における空気調和機の模式図であり、図６は第３の実施の形態における空気調和機の露付防止運転のフローチャートである。なお、すでに実施の形態１で説明したものについては、同一符号を記し、詳細な説明は省略することとする。
【００２０】
図５において、室内機３３には室内温度検出手段４４を有し、室内湿度検出手段４３が検出する室内湿度ｈが所定の室内湿度ｈ１を超え、且つ室内温度検出手段４４が検出する室内温度Ｔｉｎが所定の室内温度Ｔｉｎ１未満の場合に計時手段４２をスタートさせ、所定の時間ｔ１が経過した時点で露付防止運転を開始するものであり、開始後の動作については、実施の形態１と同一のものである。
【００２１】
（実施の形態４）
図７は第４の実施の形態における空気調和機の模式図であり、図８は第４の実施の形態における空気調和機の露付防止運転のフローチャートである。なお、すでに実施の形態１で説明したものについては、同一符号を記し、詳細な説明は省略することとする。
【００２２】
図７において、室外機３８には室外温度検出手段４５を有し、室内湿度検出手段４３が検出する室内湿度ｈが所定の室内湿度ｈ１を超え、且つ室内温度検出手段４４が検出する室内温度Ｔｉｎが所定の室内温度Ｔｉｎ１未満で、且つ室外温度検出手段４５が検出する室外温度Ｔｏｕｔが所定の室外温度Ｔｏｕｔ１以下の場合に計時手段４２をスタートさせ、所定の時間ｔ１が経過した時点で露付防止運転を開始するものであり、開始後の動作については、実施の形態１と同一のものである。
【００２３】
（実施の形態５）
図９は第５の実施の形態における空気調和機の露付防止運転時フローチャートである。常運転しているＳＴＥＰ１ではＳＴＥＰ２に示すように、室外ファン回転数は第１凝縮温度Ｔｃ１を一定に保つように増減している。ＳＴＥＰ３では計時手段４２のタイムをクリアしＳＴＥＰ４で室内湿度ｈを検出し、ＳＴＥＰ５で室内湿度ｈが所定の室内湿度ｈ２より高いか否かを判定し、室内湿度ｈが所定の室内湿度ｈ２より高い場合はＳＴＥＰ６へ進み、そうでない場合はＳＴＥＰ１１へ進む。ＳＴＥＰ６では計時手段４２をスタートし、ＳＴＥＰ７でタイムｔが所定の時間ｔ１経過したかを判定し、所定の時間ｔ１が経過した
場合にはＳＴＥＰ８へ進み、所定の時間ｔ１が経過していない場合はＳＴＥＰ４へ戻る。
【００２４】
ＳＴＥＰ８では第１凝縮温度Ｔｃ１よりも所定の温度差△Ｔ３だけ高い第３凝縮温度Ｔｃ３となるように室外ファン回転数を増減させることにより、蒸発温度を高い状態に保つこととなる。ＳＴＥＰ９では再度室内湿度ｈを検出し、ＳＴＥＰ１０で室内湿度ｈが所定の室内湿度ｈ２以下か否かを判定し、室内湿度ｈが所定の室内湿度ｈ２以下の場合はＳＴＥＰ１６へ進み、そうでない場合はＳＴＥＰ８へ戻る。
【００２５】
ＳＴＥＰ１１では室内湿度ｈが室内湿度ｈ２より低めに設定した所定の室内湿度ｈ３より高いか否かを判定し、室内湿度ｈが所定の室内湿度ｈ３より高い場合はＳＴＥＰ１２へ進み、そうでない場合はＳＴＥＰ４へ戻る。ＳＴＥＰ１２では計時手段４２をスタートし、ＳＴＥＰ１３でタイムｔが所定の時間ｔ１経過したかを判定し、所定の時間ｔ１が経過した場合にはＳＴＥＰ１４へ進み、所定の時間ｔ１が経過していない場合はＳＴＥＰ４へ戻る。
【００２６】
ＳＴＥＰ１４では第１凝縮温度Ｔｃ１よりも所定の温度温度差△Ｔ４だけ高い第４凝縮温度Ｔｃ４となるように室外ファン回転数を増減させることにより、蒸発温度を高い状態に保つこととなる。ＳＴＥＰ１５では再度室内湿度ｈを検出し、ＳＴＥＰ１６で室内湿度ｈが所定の室内湿度ｈ３以下か否かを判定し、室内湿度ｈが所定の室内湿度ｈ３以下の場合はＳＴＥＰ２へ戻り、そうでない場合はＳＴＥＰ１４へ戻る。
【００２７】
以上のサイクルを繰り返すことにより、露付防止運転中に著しい能力低下を起こすことなく室内機での露付を防ぎ、また室内熱交換器を凍結させることなく快適な空間を提供できるとともに、負荷変動による過負荷状態においても対応可能な空気調和器を提供することができる。
【産業上の利用可能性】
【００２８】
本発明の空気調和機の制御装置は、露付き条件における冷却性能を著しく低下させることなく露付きを防止させる空気調和機の制御装置を提供することができるので、分離型の空気調和機だけでなく一体型の空気調和機にも適用できる。
【図面の簡単な説明】
【００２９】
【図１】本発明の実施の形態１における空気調和機の模式図
【図２】本発明の実施の形態１における空気調和機の露付防止運転のフローチャート
【図３】本発明の実施の形態２における空気調和機の模式図
【図４】本発明の実施の形態２における空気調和機の露付防止運転のフローチャート
【図５】本発明の実施の形態３における空気調和機の模式図
【図６】本発明の実施の形態３における空気調和機の露付防止運転のフローチャート
【図７】本発明の実施の形態４における空気調和機の模式図
【図８】本発明の実施の形態４における空気調和機の露付防止運転のフローチャート
【図９】本発明の実施の形態５における空気調和機の露付防止運転のフローチャート
【図１０】従来の空気調和機の模式図
【符号の説明】
【００３０】
１，３１  室内熱交換器
３２  室内ファン
３３  室内機
４，３４  圧縮機
５，３５  室外熱交換器
３６  室外ファン
７，３７  減圧装置
３８  室外機
３９  露付条件検出手段
１０，４０  凝縮温度検出手段
４１  室外ファン回転数制御手段
４２  計時手段
４３  室内湿度検出手段
４４  室内温度検出手段
４５  室外温度検出手段
１７  蒸発温度検出手段
１８  演算手段
１９  吐出温度検出手段
２０  開度制御手段
２１  変更手段
Ｔｃ  凝縮温度
Ｔｃ１  第１凝縮温度
Ｔｃ２  第２凝縮温度
Ｔｃ３  第３凝縮温度
Ｔｃ４  第４凝縮温度
ｔ  計時される時間
ｔ１  所定の時間
ｈ  室内湿度
ｈ１，ｈ２  所定の室内湿度
Ｔｉｎ  室内温度
Ｔｉｎ１  所定の室内温度
Ｔｏｕｔ  室外温度
Ｔｏｕｔ１  所定の室外温度
△Ｔ２，△Ｔ３，△Ｔ４  所定の温度差
【図１】
2007078272.tif 000003
【図２】
2007078272.tif 000004
【図３】
2007078272.tif 000005
【図４】
2007078272.tif 000006
【図５】
2007078272.tif 000007
【図６】
2007078272.tif 000008
【図７】
2007078272.tif 000009
【図８】
2007078272.tif 000010
【図９】
2007078272.tif 000011
【図１０】
2007078272.tif 000012